(57)【要約】【課題】スライドスイッチの実装位置にズレが生じる場合であっても、実装位置のズレを許容可能として製造工程における歩留まりを向上させることが可能な操作スイッチ装置を提供する。【解決手段】スライドスイッチ４ｄが実装される回路基板４と、回路基板４を収納するケース体１と、スライドスイッチ４ｄと連結されケース体１から一部が露出するように配設されるスライドスイッチノブ５と、を備えてなる操作スイッチ装置である。スライドスイッチノブ５は、スライドスイッチ４ｄが挿入される取付部５ｃと取付部５ｃの内面側に形成されスライドスイッチ４ｄを圧入保持する突出部５ｄとを有することを特徴とする。【選択図】  図２
2010108700.tif 000002
【特許請求の範囲】
【請求項１】
スライドスイッチが実装される回路基板と、前記回路基板を収納するケース体と、前記スライドスイッチと連結され前記ケース体から一部が露出するように配設されるスライドスイッチノブと、を備えてなる操作スイッチ装置であって、前記スライドスイッチノブは、前記スライドスイッチが挿入される取付部と前記取付部の内面側に形成され前記スライドスイッチを圧入保持する突出部とを有することを特徴とする操作スイッチ装置。
【請求項２】
スライドスイッチが実装される回路基板と、前記回路基板を収納するケース体と、前記スライドスイッチと連結され前記ケース体から一部が露出するように配設されるスライドスイッチノブと、を備えてなる操作スイッチ装置であって、前記スライドスイッチノブは前記スライドスイッチが挿入される取付部を有し、前記スライドスイッチには前記取付部の内面側に当接する突出部が形成されてなることを特徴とする操作スイッチ装置。
【請求項３】
前記ケース体は、前記スライドスイッチノブの可動範囲を規定するガイド部を備えてなることを特徴とする請求項１または請求項２に記載の操作スイッチ装置。
【発明の詳細な説明】
【技術分野】
【０００１】
本発明は、例えば車両情報を表示する車両用計器を操作する操作スイッチ装置に関し、特にスライドスイッチを有する操作スイッチ装置に関するものである。
【背景技術】
【０００２】
車速，エンジン回転数，水温，油圧等の様々な車両の走行状態（以下、車両情報という）を表示する車両用計器としては、例えば駆動本体に指針が装着され、前記指針を表示板上で回動させることで前記車両情報を示す計測量を表示するアナログ式表示部や液晶表示パネル等からなるデジタル式表示部を単一のケース体内に収納してなり、車両に通常搭載されるコンビネーションメータとは別に前記車両情報をより詳細に監視するいわゆるアフターメータがある（例えば特許文献１参照）。
【特許文献１】特開平６−３８５９３号公報
【特許文献２】特開平７−２７３４７３号公報
【発明の開示】
【発明が解決しようとする課題】
【０００３】
かかるアフターメータにおいては、前記車両情報の記憶及び再生やピーク値の表示などの多機能を有することが一般的であり、これらの機能や表示の操作を行うために単数あるいは複数の操作スイッチを有する操作部を備える必要がある。
【０００４】
前記操作部を前記ケース体内に一体に設ける場合には前記表示部の表示領域が狭くなるため小型のアフターメータにおいては前記操作部を有する操作スイッチ装置を別体に設ける場合がある。かかる操作スイッチ装置には多種多様なスイッチが適用可能であるがスイッチの１種として特許文献２に開示されるようなスライドスイッチが知られている。前記スライドスイッチは、外部に露出するスライドスイッチノブと連結されており、前記スライドスイッチノブを摺動させることによって前記スライドスイッチの設定を切り換える構造である。
【０００５】
しかしながら、前記スライドスイッチノブを前記スライドスイッチに対して完全に固定する場合、回路基板における前記スライドスイッチの実装位置にズレが生じると前記スイッチノブの方向にもズレが生じ、正常な配置位置に前記スイッチノブを配設することができず製造工程における歩留まりが低下するという問題点があった。また、ズレを許容するべく前記スライドスイッチノブを前記スライドスイッチに対して単に隙間を設けて取り付ける場合は、振動などによって異音が生じてしまうという問題点があった。
【０００６】
そこで、本発明は、上述した課題に着目してなされたものであり、スライドスイッチの実装位置にズレが生じる場合であっても、実装位置のズレを許容可能として製造工程における歩留まりを向上させることが可能な操作スイッチ装置を提供することを目的とする。
【課題を解決するための手段】
【０００７】
本発明は、前記課題を解決するため、スライドスイッチが実装される回路基板と、前記回路基板を収納するケース体と、前記スライドスイッチと連結され前記ケース体から一部が露出するように配設されるスライドスイッチノブと、を備えてなる操作スイッチ装置であって、前記スライドスイッチノブは、前記スライドスイッチが挿入される取付部と前記取付部の内面側に形成され前記スライドスイッチを圧入保持する突出部とを有することを特徴とする。
【０００８】
本発明は、前記課題を解決するため、スライドスイッチが実装される回路基板と、前記回路基板を収納するケース体と、前記スライドスイッチと連結され前記ケース体から一部が露出するように配設されるスライドスイッチノブと、を備えてなる操作スイッチ装置であって、前記スライドスイッチノブは前記スライドスイッチが挿入される取付部を有し、前記スライドスイッチには前記取付部の内面側に当接する突出部が形成されてなることを特徴とする。
【０００９】
また、前記ケース体は、前記スライドスイッチノブの可動範囲を規定するガイド部を備えてなることを特徴とする。
【発明の効果】
【００１０】
本発明は、例えば車両情報を表示する車両用計器を操作する操作スイッチ装置に関し、特にスライドスイッチを有する操作スイッチ装置に関するものであって、スライドスイッチの実装位置にズレが生じる場合であっても、実装位置のズレを許容可能として製造工程における歩留まりを向上させることが可能となるものである。
【発明を実施するための最良の形態】
【００１１】
以下、本発明を車両用計器における各種機能の切り換えまたは確定等の各種操作を行うための操作スイッチ装置に適用した実施の形態につき添付図面に基づいて説明する。
【００１２】
図１は操作スイッチ装置の外観及び断面図を示している。操作スイッチ装置は、スイッチケース（ケース体）１と、押しボタンスイッチノブ２と、スイッチパネル３と、回路基板４と、スライドスイッチノブ５と、から主に構成される。
【００１３】
スイッチケース１は、ＡＢＳ等の樹脂材料からなる上ケース１ａ及び下ケース１ｂとからなり、操作スイッチ装置を構成する各部材を収納するものである。また、上ケース１ａにはスライドスイッチノブ５の可動範囲を規定するガイド部１ａ１が形成されている。また、下ケース１ｂには、スライドスイッチノブ５と対向する壁部１ｂ１が形成されており、スライドスイッチノブ５が可動範囲の端部に移動した際にスライドスイッチノブ５と当接してスライドスイッチノブ５に可動範囲を超える過大な負荷が加わらないように保護している。
【００１４】
押しボタンスイッチノブ２は、光透過性を有するアクリル樹脂やポリカーボネート樹脂等からなり、上ケース１ａに設けられる開口部に配設され、押圧することによって回路基板４に実装される押しボタンスイッチ４ａを操作可能な形状に形成されている。また、押しボタンスイッチノブ２にシボ加工を施すなどしてスイッチ照明用ＬＥＤ４ｂからの光を拡散させる機能を持たせてもよい。
【００１５】
スイッチパネル３は、上ケース１ａの前面側に設けられ、操作スイッチ装置の操作機能に応じた文字や図形等からなる光透過性の表示意匠３ａが印刷等の方法で形成されてなるものである。また、スイッチパネル３は、警告や機能の実行等を発光表示にて報知する発光表示部３ｂが形成されている。
【００１６】
回路基板４は、スイッチケース１に収納されるものであって、押しボタンスイッチノブ２の配設位置に応じて配置される押しボタンスイッチ４ａと、スイッチパネル３の表示意匠３ａを透過照明するためのスイッチ照明用ＬＥＤ４ｂと、スイッチパネル３の発光表示部３ｂを照明するための発光表示部照明用ＬＥＤ４ｃと、スライドスイッチノブ５と連結されるスライドスイッチ４ｄと、が実装されてなるものである。また、回路基板４には配線パターンが形成されており、接続コードＡを介して被操作機器である前記車両用計器と電気的に接続される。押しボタンスイッチ４ａ及びスライドスイッチ４ｄは、押しボタンスイッチノブ２の押圧及びスライドスイッチノブ５の摺動によって操作され、前記車両用計器における各種機能の切り換えまたは確定等の各種操作が実行される。
【００１７】
スライドスイッチノブ５は、ＡＢＳ等の樹脂材料からなり、操作部５ａがスイッチケース１から露出するように配設され、利用者が操作部５ａを図１（ａ）における上下方向にスライドさせることによって回路基板４に実装されるスライドスイッチ４ｄを操作可能とするものである。また、スライドスイッチノブ５は、上ケース１ａに形成されるガイド部１ａ１に嵌合される凹形状の規制部５ｂを有する。規制部５ｂがガイド部１ａ１に嵌め込まれることによって、スライドスイッチノブ５が上ケース１ａに対して位置決めされるとともに、スライドスイッチノブ５の可動方向が定められる。
【００１８】
次に、図２を用いて、スライドスイッチノブ５のスライドスイッチ４ｄに対する固定構造について説明する。なお、図２は操作スイッチ装置の背面側を下ケース１ｂを省略して図示している。スライドスイッチノブ５は、スライドスイッチ４ａが挿入される凹形状の取付部５ｃを有する。取付部５ｃの内面側には回路基板４に対して平行方向に２つの突出部５ｄが形成されており、取付部５ｃに挿入されたスライドスイッチ４ｄを挟むようにして圧入保持する。スライドスイッチ４ｄが突出部５ｄによって保持されるため、スライドスイッチ４ｄが回路基板４上の適正な位置に実装された場合にはスライドスイッチ４ｄと取付部５ｃの内面との間には隙間が形成される。これに対し、図３で示すようにスライドスイッチ４ｄが回路基板４上において位置ズレが生じた場合は、スライドスイッチノブ５をスライドスイッチ４ｄに取り付け、その後スライドスイッチノブ５の規制部５ｂを上ケース１ａのガイド部１ａ１に嵌め込む際にスライドスイッチノブ５ｄが取付部５ｃの内面とスライドスイッチ４ｄとの間に形成される前記隙間の分だけ回路基板４と平行方向に回動してスライドスイッチノブ５の方向を修正することが可能であり、スライドスイッチ４ｄの実装位置のズレを許容可能として製造工程における歩留まりを向上させることができる。
【００１９】
なお、本実施形態においては、スライドスイッチノブ５の取付部５ｃに突出部５ｄを設ける構成であったが、本発明は、スライドスイッチ４ｄに突出部を設けて取付部５ｃとの間に隙間を設けるようにした構成であっても前述の実施形態と同様にスライドスイッチ４ｄの実装位置のズレを許容可能として製造工程における歩留まりを向上させることができる。
【図面の簡単な説明】
【００２０】
【図１】本発明の実施形態である操作スイッチ装置を示す外観図及び断面図。
【図２】同上の操作スイッチ装置の部分背面図。
【図３】同上の操作スイッチ装置の部分背面図。
【符号の説明】
【００２１】
１    スイッチケース（ケース体）
１ａ  上ケース
１ａ１  ガイド部
１ｂ  下ケース
２    押しボタンスイッチノブ
３    スイッチパネル
３ａ  表示意匠
４    回路基板
４ａ  押しボタンスイッチ
４ｂ  スイッチ照明用ＬＥＤ
４ｃ  発光表示部照明用ＬＥＤ
４ｄ  スイライドスイッチ
５    スライドスイッチノブ
５ａ  操作部
５ｂ  規制部
５ｃ  取付部
５ｄ  突出部
Ａ    接続コード
【図１】
2010108700.tif 000003
【図２】
2010108700.tif 000004
【図３】
2010108700.tif 000005